(57)【要約】【課題】被覆材と支柱のずれを防止するとともに、支柱の収束や被覆材のたくし上げを容易に行うことができる支柱付被覆材を提供すること。【解決手段】所定間隔で並設した複数の支柱４を、可撓性と柔軟性を有する被覆材２で覆うようにした支柱付被覆材１であって、被覆材２に各支柱４が摺動可能に挿通する複数列の挿通部３を形成するとともに、各挿通部３に各支柱４を挿通し、略同位置で被覆材２の一部に固定する。【選択図】図１
2006333830.tif 000002
【特許請求の範囲】
【請求項１】
所定間隔で並設した複数の支柱を、可撓性と柔軟性を有する被覆材で覆うようにした支柱付被覆材において、前記被覆材に各支柱が摺動可能に挿通する複数列の挿通部を形成するとともに、各挿通部に各支柱を挿通し、略同位置で被覆材の一部に固定したことを特徴とする支柱付被覆材。
【請求項２】
支柱を被覆材幅の０．７〜１．３倍の長さとしたことを特徴とする請求項１記載の支柱付被覆材。
【請求項３】
各支柱をその略中央位置で被覆材に固定したことを特徴とする請求項１又は２記載の支柱付被覆材。
【請求項４】
被覆材の固定部を、支柱の並び方向に連続して配設した紐又はテープにより補強したことを特徴とする請求項１、２又は３記載の支柱付被覆材。
【請求項５】
被覆材を有孔シートにより構成したことを特徴とする請求項１、２、３又は４記載の支柱付被覆材。
【請求項６】
被覆材を無孔シートにより構成したことを特徴とする請求項１、２、３、４又は５記載の支柱付被覆材。
【請求項７】
支柱を弾性を有する屈曲可能な直線状のものにより構成したことを特徴とする請求項１、２、３、４、５又は６記載の支柱付被覆材。
【請求項８】
支柱を剛性を有するアーチ状のものにより構成したことを特徴とする請求項１、２、３、４、５、６又は７記載の支柱付被覆材。
【請求項９】
支柱と被覆材を挟着具により固定したことを特徴とする請求項１、２、３、４、５、６、７又は８記載の支柱付被覆材。
【請求項１０】
支柱と被覆材を接着又は溶着により固定したことを特徴とする請求項１、２、３、４、５、６、７、８又は９記載の支柱付被覆材。
【発明の詳細な説明】
【技術分野】
【０００１】
本発明は、支柱付被覆材に関し、特に、農園芸用の分野において、植物を虫・鳥害や風・霜等の自然災害から護るために使用しうるトンネル栽培等の支柱付被覆材に関するものである。
【背景技術】
【０００２】
従来から、トンネル栽培等の支柱付被覆材は、農作物を虫・鳥害や風・霜害から護るために使用されている。
このような支柱付被覆材は、所定間隔で並設した複数の支柱を、可撓性と柔軟性を有する防護用の被覆材で覆うようにしている。
【０００３】
これらの代表例として、特許文献１には、網シートに４０〜１２０ｃｍの間隔で平行筒状の２〜７ｃｍ幅の二重織り部を設け、該二重織り部に支柱を通すことにより、強風の場合でも網シートをきっちりと固定し、防虫効果を高めた農業用防虫網が開示されている。
また、特許文献２には、モノフィラメント糸を縦横に織ることにより形成した防虫ネットにおいて、可撓性を有する支柱が挿通する挿通部を防虫ネットの内側面に形成するとともに、支柱を挿通部に挿通して防虫ネットと支柱を一体化した上で、支柱の両端部を地中に差し込み、防虫ネットをアーチ型に張るようにした農業用防虫ネットが開示されている。
【特許文献１】実用新案登録第３０４３３７８号公報
【特許文献２】特開２００２−２７９００号公報
【０００４】
しかしながら、特許文献１に記載の農業用防虫網は、二重織り部に支柱を通したときに、そのずれを防止する手段がないことから、防虫網と支柱とのずれが常に危惧され、また、特許文献２に記載の農業用防虫ネットは、支柱の両端に挿通部を通らないキャップを設けることで、防虫ネットからの支柱の抜けを防止するものの、キャップ等の無駄な部材とその取り付け手間を要し極めて不経済な問題を残している。
【発明の開示】
【発明が解決しようとする課題】
【０００５】
本発明は、上記従来の支柱付被覆材が有する問題点に鑑み、被覆材と支柱のずれを防止するとともに、支柱の収束や被覆材のたくし上げを容易に行うことができる支柱付被覆材を提供することを目的とする。
【課題を解決するための手段】
【０００６】
上記目的を達成するため、本発明の支柱付被覆材は、所定間隔で並設した複数の支柱を、可撓性と柔軟性を有する被覆材で覆うようにした支柱付被覆材において、前記被覆材に各支柱が摺動可能に挿通する複数列の挿通部を形成するとともに、各挿通部に各支柱を挿通し、略同位置で被覆材の一部に固定したことを特徴とする。
【０００７】
この場合において、支柱を被覆材幅の０．７〜１．３倍の長さとすることができる。
【０００８】
また、各支柱をその略中央位置で被覆材に固定することができる。
【０００９】
また、被覆材の固定部を、支柱の並び方向に連続して配設した紐又はテープにより補強することができる。
【００１０】
また、被覆材を有孔シートにより構成することができる。
【００１１】
また、被覆材を無孔シートにより構成することができる。
【００１２】
また、支柱を、弾性を有する屈曲可能な直線状のものにより構成することができる。
【００１３】
また、支柱を、剛性を有するアーチ状のものにより構成することができる。
【００１４】
また、支柱と被覆材を挟着具により固定することができる。
【００１５】
また、支柱と被覆材を接着又は溶着により固定することができる。
【発明の効果】
【００１６】
本発明の支柱付被覆材によれば、所定間隔で並設した複数の支柱を、可撓性と柔軟性を有する被覆材で覆うようにした支柱付被覆材において、前記被覆材に各支柱が摺動可能に挿通する複数列の挿通部を形成するとともに、各挿通部に各支柱を挿通し、略同位置で被覆材の一部に固定することから、複数の固定部を基点として被覆材と支柱のずれを防止するとともに、支柱をレールとして、支柱の収束や被覆材のたくし上げを容易に行うことが可能になる。
【００１７】
この場合、支柱を被覆材幅の０．７〜１．３倍の長さとすることにより、支柱の地中や基礎部への入れ長さを充分確保するとともに、地表に対し被覆材に余裕を持たせて被覆効果をより向上させ、さらに、支柱付被覆材の合理的な使用と保管を可能にすることができる。
【００１８】
また、各支柱をその略中央位置で被覆材に固定することにより、支柱付被覆材のバランスを向上させ、支柱の収束や被覆材のたくし上げ作業をより簡単に行うとともに、固定部をコアとして支柱付被覆材の展開や収束、保管、運搬等に係る作業を容易にすることができる。
【００１９】
また、被覆材の固定部を、支柱の並び方向に連続して配設した紐又はテープで補強することにより、使用や保管の繰り返しにおいて、支柱付被覆材の耐用性を著しく向上させることができる。
【００２０】
また、被覆材を有孔シートで構成することにより、虫や鳥獣、風等から被覆内部を保護するとともに、遮光することも可能になる。
【００２１】
また、被覆材を無孔シートで構成することにより、害虫の侵入を防ぐとともに、太陽光とその暖かさを取り込み、被覆内部の植物等の本来の生長を促進することができる。
【００２２】
また、支柱を弾性を有する屈曲可能な直線状のもので構成することにより、容易にアーチ状に設置することが可能となり、また、解体したときに支柱が元の直線状に戻ることから、支柱付被覆材の収納が非常に容易になる。
【００２３】
また、支柱を剛性を有するアーチ状のもので構成することにより、支柱付被覆材を容易にトンネル状に設置することができる。
【００２４】
また、支柱と被覆材を挟着具で固定することにより、支柱付被覆材の製造を簡便にするとともに、支柱と被覆材の固定を確実にすることができる。
【００２５】
また、支柱と被覆材を接着又は溶着によって固定することにより、支柱付被覆材の製造を簡便にするとともに、支柱と被覆材の固定を確実にすることができる。
【発明を実施するための最良の形態】
【００２６】
以下、本発明の支柱付被覆材の実施形態を、図面に基づいて説明する。
【実施例１】
【００２７】
図１に、本発明の支柱付被覆材の第１実施例を示す。
この支柱付被覆材１は、所定間隔で並設した複数の支柱４を、可撓性と柔軟性を有する被覆材２で覆うようにしたものであり、前記被覆材２に各支柱４が摺動可能に挿通する複数列の挿通部３を形成するとともに、各挿通部３に各支柱４を挿通し、略同位置で被覆材２の一部に固定している。
挿通部３は、１本の支柱４が挿入される１列が、所定間隔で設けられた複数のループによって構成されている。
また、各支柱４は、弾性を有する屈曲可能な直線状の線材からなり、その略中央位置１箇所で被覆材２に固定されている。
支柱４と被覆材２は、図７に示すように、挟着具５１や接着剤５２により固定することができ、また、被覆材２の固定部５は、図１に示すように、支柱４の並び方向に連続して配設した紐又はテープ７により補強することができる。
支柱付被覆材１は、各支柱４が直線状の線材からなるため、図２に示すように、その保管時や運搬時にロール状に巻回することができる。
【００２８】
また、図３（ａ）は、植物の健全生長に被覆が不可欠の一例を示すものであり、被覆材２を地表まで降ろしている。
また、図３（ｂ）は、植物栽培期間での苗の植え付けや種蒔き前の土壌準備の一例を示すものであり、被覆材２を支柱４の上部までたくし上げている。
被覆材２をたくし上げる場合は、固定部５を挿通させた紐状の束ね具２２により、被覆材２を支柱４の上部で束ねて固定することができる。なお、束ね具２２には、結束用の紐やテープ、針金等を好適に使用することができる。
【００２９】
また、本実施例では、支柱４に弾力性に優れた直線状の線材を使用し、また、支柱４の長さを被覆材２の幅と略同一としているが、支柱付被覆材１の使用環境や使用目的により支柱４の長さを被覆材２の幅の０．７〜１．３倍の範囲で自由に選択することができる。
また、このような支柱４には、バネ性の高いメッキ鉄線や合成樹脂被覆鉄線、焼付け塗装鉄線、反発力が強い強化プラスチック製の線材やパイプを好適に使用することができる。
【実施例２】
【００３０】
図４に、本発明の支柱付被覆材の第２実施例示す。
図４（ａ）は、南を向く所謂スリークォータタイプの栽培ハウスを示すものであり、被覆材２を地表まで降ろしている。また、図４（ｂ）は、同栽培ハウスの換気状態の一例を示すものであり、被覆材２を支柱４の一部にたくし上げている。
この支柱付被覆材１は、支柱４が剛性に優れたアーチ状の曲材からなり、図４（ａ）に示すように、あおり風よる被害を防止するため、支柱付被覆材１の両側で被覆材２を止め杭６で基礎部１０に固定している。
なお、図示省略するが、支柱４に剛性の曲材を使用する場合でも、支柱付被覆材１の保管時や運搬時には、支柱４を重ね揃えて束ねることができる。
【００３１】
さらに、上記支柱付被覆材１には支柱４には剛性曲材を使用しているが、この場合においても、支柱４の長さを被覆材２の幅の０．７〜１．３倍の範囲で自由に選択でき、このような支柱４には、剛性が高いメッキ鉄線、メッキパイプや合成樹脂被覆鉄線、合成樹脂被覆鋼管や焼付け塗装鉄線や焼付け塗装鋼管を好適に使用することができる。
【実施例３】
【００３２】
図５に、本発明の支柱付被覆材１の他の実施例を示す。
図５（ａ）は、蔬菜を促成栽培するために被覆材２に透明の無孔シート２１を使用する実施例を、図５（ｂ）は、害虫を防ぐために被覆材２に略透明の有孔シート２０を使用する実施例をそれぞれ示している。
また、図５（ｃ）は、霜害を防ぐために開口率の低い有孔シート２０を使用し、安定して使用できるよう土壌中にコンクリートブロック等の基礎部１０を埋設しそこに支柱４の両端を差し込んだ実施例を示している。
そして、図５（ｄ）は、栽培水槽１１の両側に支柱４の端部を接合した水耕栽培の実施例を、図５（ｅ）は、無孔シート２１を使用し雨除け栽培する実施例をそれぞれ示している。
【００３３】
これらの実施例において、本発明では、被覆材２にどのようなシートが使用されるか、支柱４に直材か曲材が使用されるのか等は特に問われるものでなく、本発明の支柱付被覆材１の使用目的に適宜対応すればよく、また、使用目的により支柱付被覆材１の品種の中で適宜選択すればよいことになる。
【００３４】
また、被覆材２を構成する無孔シート２１や有孔シート２０には、加工性や耐食性、着色性の良さから、汎用性の高い、ポリビニル系の塩化ビニルや酢酸ビニル等、ポリオレフィン系のポリエチレン、ポリプロピレン等、これら合成樹脂の混合体、これら合成樹脂とエチレン−酢酸ビニル等の共重合体類やエラストマ−類や変性ポリオレフィン類等のとの混合物が好適に使用でき、中でも、公害要因が少ないことからポリオレフィン系の合成樹脂が最適に使用できることになる。
また、天然の木綿や絹等のより糸が、有孔シートに好適に使用できることは言うまでもなく、これらは使用状況とその設計に応じて適宜選択すればよい。
【実施例４】
【００３５】
図６に、本発明の支柱付被覆材のさらに他の実施例を示す。
図６は、支柱４に直材を使用する支柱付被覆材１と、支柱４に曲材を使用する支柱付被覆材１とを連設した実施例を示すもので、被覆材２でそれぞれ覆うことにより、後部は栽培ハウス、前部は多目的空間兼出入り口通路として使用するものである。
【００３６】
以上説明したように、本発明の支柱付被覆材１は、所定間隔で並設した複数の支柱４を、可撓性と柔軟性を有する被覆材２で覆うようにした支柱付被覆材において、前記被覆材２に各支柱４が摺動可能に挿通する複数列の挿通部３を形成するとともに、各挿通部３に各支柱４を挿通し、略同位置で被覆材２の一部に固定することから、複数の固定部を基点として被覆材２と支柱４のずれを防止するとともに、支柱４をレールとして、支柱４の収束や被覆材２のたくし上げを容易に行うことが可能になる。
なお、固定部５は、支柱１本につき１箇所として説明してきたが、支柱１本に複数箇所設けることも可能であり、また、挿通部３の位置や形状、数量等も支柱付被覆材１の設計に委ねることができる。
【００３７】
この場合、支柱４を被覆材幅の０．７〜１．３倍の長さとすることにより、支柱４の地中や基礎部への入れ長さを充分確保するとともに、地表に対し被覆材２に余裕を持たせて被覆効果をより向上させ、さらに、支柱付被覆材の合理的な使用と保管を可能にすることができる。
【００３８】
また、各支柱４をその略中央位置で被覆材２に固定することにより、支柱付被覆材のバランスを向上させ、支柱４の収束や被覆材２のたくし上げ作業をより簡単に行うとともに、固定部をコアとして支柱付被覆材の展開や収束、保管、運搬等に係る作業を容易にすることができる。
また、被覆材２の固定部を、支柱４の並び方向に連続して配設した紐又はテープ７で補強することにより、使用や保管の繰り返しにおいて、支柱付被覆材の耐用性を著しく向上させることができる。
【００３９】
また、被覆材２を有孔シートで構成することにより、虫や鳥獣、風等から被覆内部を保護するとともに、遮光することも可能になる。
そして、被覆材２を無孔シートで構成することにより、害虫の侵入を防ぐとともに、太陽光とその暖かさを取り込み、被覆内部の植物等の本来の生長を促進することができる。
【００４０】
また、支柱４を弾性を有する屈曲可能な直線状のもので構成することにより、容易にアーチ状に設置することが可能となり、また、解体したときに支柱４が元の直線状に戻ることから、支柱付被覆材の収納が非常に容易になる。
そして、支柱４を剛性を有するアーチ状のもので構成することにより、支柱付被覆材を容易にトンネル状に設置することができる。
【００４１】
また、図７（ａ）に示すように、支柱４と被覆材２を挟着具５１で固定したり、図７（ｂ）に示すように、接着剤５２（又は溶着）によって固定することにより、支柱付被覆材の製造を簡便にするとともに、支柱４と被覆材２の固定を確実にすることができる。
【００４２】
以上、本発明の支柱付被覆材について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができる。
【産業上の利用可能性】
【００４３】
本発明の支柱付被覆材は、複数の固定部を基点として被覆材と支柱のずれを防止するとともに、支柱をレールとして、支柱の収束や被覆材のたくし上げを容易に行えるという特性を有していることから、トンネル栽培のハウスの用途に好適に用いることができるほか、被覆材の材質や機能を適宜選択することにより、例えば、簡易倉庫やレジャー用の簡易テント等にも好適に用いることができる。
【図面の簡単な説明】
【００４４】
【図１】本発明の支柱付被覆材の第１実施例を示し、（ａ）は平面図、（ｂ）は正面図である。
【図２】支柱付被覆材を巻回した状態を示す斜視図である。
【図３】支柱付被覆材の使用状態を示し、（ａ）は被覆材を降ろした状態を示す断面図、（ｂ）は被覆材をたくし上げた状態を示す断面図である。
【図４】本発明の支柱付被覆材の第２実施例を示し、（ａ）は被覆材を降ろした状態を示す断面図、（ｂ）は被覆材をたくし上げた状態を示す断面図である。
【図５】（ａ）〜（ｅ）は支柱付被覆材の使用形態を示す断面図である。
【図６】支柱付被覆材の他の実施例を示す斜視図である。
【図７】支柱付被覆材の固定部を示し、（ａ）は挟着具を用いた例を示す断面図、（ｂ）は接着剤を用いた例を示す断面図である。
【符号の説明】
【００４５】
１    支柱付被覆材
２    被覆材
２０  有孔シート
２１  無孔シート
２２  束ね具
３    挿通部
４    支柱
５    固定部
５１  挟着具
５２  接着剤
６    被覆材の止め杭
７    紐又はテープ
８    植物
９    栽培土壌
１０  基礎部
１１  栽培水槽
【図１】
2006333830.tif 000003
【図２】
2006333830.tif 000004
【図３】
2006333830.tif 000005
【図４】
2006333830.tif 000006
【図５】
2006333830.tif 000007
【図６】
2006333830.tif 000008
【図７】
2006333830.tif 000009